(57)【要約】【課題】無線基地局システムの着呼疎通率の低下を防ぐことが可能な無線基地局、未送信信号の管理方法および未送信信号の管理プログラムを提供する。【解決手段】無線端末局２０１への通信信号がネットワーク５００経由で各無線基地局１０１に送信され、通信信号には無線端末局２０１の識別番号が含まれる無線基地局システムにおける無線基地局１０１は、ネットワーク５００から受信した通信信号を保存する保存部６と、保存部６から通信信号を取り出して無線信号として送信する送信部４および送信制御部５ｂと、無線端末局２０１から送信される無線信号を受信する受信部３と、受信した無線信号に基づいて無線信号を送信した無線端末局２０１の識別番号を検出する受信制御部５ａと、保存部６に保存されている通信信号のうち、検出した識別番号に対応する通信信号を保存部６から削除する中央制御部７とを備える。【選択図】図２
2007096836.tif 000002
【特許請求の範囲】
【請求項１】
無線端末局への通信信号がネットワーク経由で複数の無線基地局に送信され、前記通信信号には前記無線端末局の識別番号が含まれる無線基地局システムにおける無線基地局であって、
前記ネットワークから前記通信信号を受信する回線制御部と、
前記受信した通信信号を保存する保存部と、
前記保存部から前記通信信号を取り出して下り無線信号として送信する送信部と、
無線端末局から送信される上り無線信号を受信する受信部と、
前記受信した上り無線信号に基づいて、前記上り無線信号を送信した無線端末局の識別番号を検出する受信制御部と、
前記保存部に保存されている前記通信信号のうち、前記検出した識別番号に対応する前記通信信号を前記保存部から削除する中央制御部とを備える無線基地局。
【請求項２】
前記受信制御部は、前記受信した上り無線信号に基づいて前記上り無線信号の送信先の無線基地局を検出し、前記検出した送信先が他の無線基地局である場合には、前記受信した上り無線信号に基づいて前記上り無線信号を送信した無線端末局の識別番号を検出し、
前記中央制御部は、前記検出した送信先が他の無線基地局である場合には、前記検出した識別番号に対応する前記通信信号を前記保存部から削除する請求項１記載の無線基地局。
【請求項３】
前記受信制御部は、前記受信した上り無線信号に基づいて前記上り無線信号の送信先の無線基地局を検出し、前記検出した送信先が自己の無線基地局である場合には、前記受信した上り無線信号に基づいて前記上り無線信号を送信した無線端末局の識別番号を検出し、
前記中央制御部は、前記検出した送信先が自己の無線基地局である場合には、前記検出した識別番号に対応する前記通信信号を前記保存部から削除する請求項１記載の無線基地局。
【請求項４】
前記受信制御部は、前記受信部が受信した、無線端末局が通信を開始する際に無線基地局へ最初に送信する上り無線信号である初期送信信号に基づいて、前記初期送信信号を送信した無線端末局の識別番号を検出する請求項１記載の無線基地局。
【請求項５】
無線端末局への通信信号がネットワーク経由で複数の無線基地局に送信され、前記通信信号には前記無線端末局の識別番号が含まれる無線基地局システムにおける無線基地局の未送信信号の管理方法であって、
前記ネットワークから前記通信信号を受信する回線制御ステップと、
前記受信した通信信号を前記無線基地局の備える保存部に保存する保存ステップと、
前記保存部から前記通信信号を取り出して下り無線信号として送信する送信ステップと、
無線端末局から送信される上り無線信号を受信する受信ステップと、
前記受信した上り無線信号に基づいて、前記上り無線信号を送信した無線端末局の識別番号を検出する受信制御ステップと、
前記保存部に保存されている前記通信信号のうち、前記検出した識別番号に対応する前記通信信号を前記保存部から削除する中央制御ステップとを含む未送信信号の管理方法。
【請求項６】
前記受信制御ステップにおいては、前記受信した上り無線信号に基づいて前記上り無線信号の送信先の無線基地局を検出し、前記検出した送信先が他の無線基地局である場合には、前記受信した上り無線信号に基づいて前記上り無線信号を送信した無線端末局の識別番号を検出し、
前記中央制御ステップにおいては、前記検出した送信先が他の無線基地局である場合には、前記検出した識別番号に対応する前記通信信号を前記保存部から削除する請求項５記載の未送信信号の管理方法。
【請求項７】
前記受信制御ステップにおいては、前記受信した上り無線信号に基づいて前記上り無線信号の送信先の無線基地局を検出し、前記検出した送信先が自己の無線基地局である場合には、前記受信した上り無線信号に基づいて前記上り無線信号を送信した無線端末局の識別番号を検出し、
前記中央制御ステップにおいては、前記検出した送信先が自己の無線基地局である場合には、前記検出した識別番号に対応する前記通信信号を前記保存部から削除する請求項５記載の未送信信号の管理方法。
【請求項８】
前記受信制御ステップにおいては、前記受信ステップにおいて受信された、無線端末局が通信を開始する際に無線基地局へ最初に送信する上り無線信号である初期送信信号に基づいて、前記初期送信信号を送信した無線端末局の識別番号を検出する請求項５記載の未送信信号の管理方法。
【請求項９】
無線端末局への通信信号がネットワーク経由で複数の無線基地局に送信され、前記通信信号には前記無線端末局の識別番号が含まれる無線基地局システムにおける無線基地局の未送信信号の管理プログラムであって、コンピュータに、
前記ネットワークから前記通信信号を受信する回線制御ステップと、
前記受信した通信信号を前記無線基地局の備える保存部に保存する保存ステップと、
前記保存部から前記通信信号を取り出して下り無線信号として送信する送信ステップと、
無線端末局から送信される上り無線信号を受信する受信ステップと、
前記受信した上り無線信号に基づいて、前記上り無線信号を送信した無線端末局の識別番号を検出する受信制御ステップと、
前記保存部に保存されている前記通信信号のうち、前記検出した識別番号に対応する前記通信信号を前記保存部から削除する中央制御ステップとを実行させる未送信信号の管理プログラム。
【請求項１０】
前記受信制御ステップにおいては、前記受信した上り無線信号に基づいて前記上り無線信号の送信先の無線基地局を検出し、前記検出した送信先が他の無線基地局である場合には、前記受信した上り無線信号に基づいて前記上り無線信号を送信した無線端末局の識別番号を検出し、
前記中央制御ステップにおいては、前記検出した送信先が他の無線基地局である場合には、前記検出した識別番号に対応する前記通信信号を前記保存部から削除する請求項９記載の未送信信号の管理プログラム。
【請求項１１】
前記受信制御ステップにおいては、前記受信した上り無線信号に基づいて前記上り無線信号の送信先の無線基地局を検出し、前記検出した送信先が自己の無線基地局である場合には、前記受信した上り無線信号に基づいて前記上り無線信号を送信した無線端末局の識別番号を検出し、
前記中央制御ステップにおいては、前記検出した送信先が自己の無線基地局である場合には、前記検出した識別番号に対応する前記通信信号を前記保存部から削除する請求項９記載の未送信信号の管理プログラム。
【請求項１２】
前記受信制御ステップにおいては、前記受信ステップにおいて受信された、無線端末局が通信を開始する際に無線基地局へ最初に送信する上り無線信号である初期送信信号に基づいて、前記初期送信信号を送信した無線端末局の識別番号を検出する請求項９記載の未送信信号の管理プログラム。
【発明の詳細な説明】
【技術分野】
【０００１】
本発明は、無線端末局への通信信号がネットワーク経由で複数の無線基地局に送信され、その通信信号が複数の無線基地局から無線信号として送信される無線基地局システムにおける無線基地局、未送信信号の管理方法および未送信信号の管理プログラムに関する。
【背景技術】
【０００２】
移動体通信システム（たとえば、Personal Handy-Phone System：以下、ＰＨＳ）では、着呼（着信）を通知するための信号（以下、着信信号とも称する。）を無線基地局から無線端末局へ送信する方法として、ＰＣＨ（一斉呼び出しチャネル）を用いる方法が採用されている。すなわち、着信信号は、ネットワーク経由で所定の一斉呼び出しエリアに対応する複数の無線基地局に送信される。着信信号を受信した各無線基地局はＰＣＨによって着信信号の内容を報知する。ここで、ＰＣＨは無線基地局から１．２秒ごとに送信されるため、ネットワークから１．２秒以内に複数の着信信号が無線基地局に到着した場合には、無線基地局はメモリ等を用いて着信信号の待ち行列を形成し、未送信の着信信号を１．２秒ごとにＰＣＨによって順次報知する。
【０００３】
このような待ち行列を形成する無線基地局として、たとえば、特許文献１には以下のような無線基地局が開示されている。すなわち、通信チャネルに空きがない場合には、待ち行列が設定されて通信チャネルに空きが発生すると、最先に待ち状態に入ったものから順にその通信チャネルに割り当てが実行される。このような構成により、無線端末局の利用者は無用に発呼要求を繰り返して送信する必要がなくなり、制御チャネルが有効かつ安定に利用され、接続制御が円滑に行われることになる。
【特許文献１】特開平４−８６１２７号公報
【発明の開示】
【発明が解決しようとする課題】
【０００４】
しかしながら、ネットワークから着信信号が各無線基地局に送信されてから無線端末局の着信信号に対する応答がネットワーク側に到着するまでの時間には制限がある。たとえばこの制限時間が１０秒とすると、待ち行列における９番目以降の着信信号は、ネットワーク側への応答が確実に間に合わないため、無線基地局において棄却される。すなわち待ち行列において９番目以降となる着信信号については通信できなくなってしまう。
【０００５】
つまり、特許文献１記載の無線基地局では、通信チャネルの空きの発生を待つだけの構成であるため、時間制限のある着信信号を短時間で多数受信した場合には着信信号が棄却されてしまい、無線基地局システムの着呼疎通率、すなわち着信信号に対する無線端末局の応答がネットワーク側に到着する確率が低下してしまうという問題点があった。
【０００６】
それゆえに、本発明の目的は、無線基地局システムの着呼疎通率の低下を防ぐことが可能な無線基地局、未送信信号の管理方法および未送信信号の管理プログラムを提供することである。
【課題を解決するための手段】
【０００７】
上記課題を解決するために、この発明のある局面に係わる無線基地局は、無線端末局への通信信号がネットワーク経由で複数の無線基地局に送信され、通信信号には無線端末局の識別番号が含まれる無線基地局システムにおける無線基地局であって、ネットワークから通信信号を受信する回線制御部と、受信した通信信号を保存する保存部と、保存部から通信信号を取り出して下り無線信号として送信する送信部と、無線端末局から送信される上り無線信号を受信する受信部と、受信した上り無線信号に基づいて、上り無線信号を送信した無線端末局の識別番号を検出する受信制御部と、保存部に保存されている通信信号のうち、検出した識別番号に対応する通信信号を保存部から削除する中央制御部とを備える。
【０００８】
好ましくは、受信制御部は、受信した上り無線信号に基づいて上り無線信号の送信先の無線基地局を検出し、検出した送信先が他の無線基地局である場合には、受信した上り無線信号に基づいて上り無線信号を送信した無線端末局の識別番号を検出し、中央制御部は、検出した送信先が他の無線基地局である場合には、検出した識別番号に対応する通信信号を保存部から削除する。
【０００９】
好ましくは、受信制御部は、受信した上り無線信号に基づいて上り無線信号の送信先の無線基地局を検出し、検出した送信先が自己の無線基地局である場合には、受信した上り無線信号に基づいて上り無線信号を送信した無線端末局の識別番号を検出し、中央制御部は、検出した送信先が自己の無線基地局である場合には、検出した識別番号に対応する通信信号を保存部から削除する。
【００１０】
好ましくは、受信制御部は、受信部が受信した、無線端末局が通信を開始する際に無線基地局へ最初に送信する上り無線信号である初期送信信号に基づいて、初期送信信号を送信した無線端末局の識別番号を検出する。
【００１１】
上記課題を解決するために、この発明のある局面に係わる未送信信号の管理方法は、無線端末局への通信信号がネットワーク経由で複数の無線基地局に送信され、通信信号には無線端末局の識別番号が含まれる無線基地局システムにおける無線基地局の未送信信号の管理方法であって、ネットワークから通信信号を受信する回線制御ステップと、受信した通信信号を無線基地局の備える保存部に保存する保存ステップと、保存部から通信信号を取り出して下り無線信号として送信する送信ステップと、無線端末局から送信される上り無線信号を受信する受信ステップと、受信した上り無線信号に基づいて、上り無線信号を送信した無線端末局の識別番号を検出する受信制御ステップと、保存部に保存されている通信信号のうち、検出した識別番号に対応する通信信号を保存部から削除する中央制御ステップとを含む。
【００１２】
好ましくは、受信制御ステップにおいては、受信した上り無線信号に基づいて上り無線信号の送信先の無線基地局を検出し、検出した送信先が他の無線基地局である場合には、受信した上り無線信号に基づいて上り無線信号を送信した無線端末局の識別番号を検出し、中央制御ステップにおいては、検出した送信先が他の無線基地局である場合には、検出した識別番号に対応する通信信号を保存部から削除する。
【００１３】
好ましくは、受信制御ステップにおいては、受信した上り無線信号に基づいて上り無線信号の送信先の無線基地局を検出し、検出した送信先が自己の無線基地局である場合には、受信した上り無線信号に基づいて上り無線信号を送信した無線端末局の識別番号を検出し、中央制御ステップにおいては、検出した送信先が自己の無線基地局である場合には、検出した識別番号に対応する通信信号を保存部から削除する。
【００１４】
好ましくは、受信制御ステップにおいては、受信ステップにおいて受信された、無線端末局が通信を開始する際に無線基地局へ最初に送信する上り無線信号である初期送信信号に基づいて、初期送信信号を送信した無線端末局の識別番号を検出する。
【００１５】
上記課題を解決するために、この発明のある局面に係わる未送信信号の管理プログラムは、無線端末局への通信信号がネットワーク経由で複数の無線基地局に送信され、通信信号には無線端末局の識別番号が含まれる無線基地局システムにおける無線基地局の未送信信号の管理プログラムであって、コンピュータに、ネットワークから通信信号を受信する回線制御ステップと、受信した通信信号を無線基地局の備える保存部に保存する保存ステップと、保存部から通信信号を取り出して下り無線信号として送信する送信ステップと、無線端末局から送信される上り無線信号を受信する受信ステップと、受信した上り無線信号に基づいて、上り無線信号を送信した無線端末局の識別番号を検出する受信制御ステップと、保存部に保存されている通信信号のうち、検出した識別番号に対応する通信信号を保存部から削除する中央制御ステップとを実行させる。
【００１６】
好ましくは、受信制御ステップにおいては、受信した上り無線信号に基づいて上り無線信号の送信先の無線基地局を検出し、検出した送信先が他の無線基地局である場合には、受信した上り無線信号に基づいて上り無線信号を送信した無線端末局の識別番号を検出し、中央制御ステップにおいては、検出した送信先が他の無線基地局である場合には、検出した識別番号に対応する通信信号を保存部から削除する。
【００１７】
好ましくは、受信制御ステップにおいては、受信した上り無線信号に基づいて上り無線信号の送信先の無線基地局を検出し、検出した送信先が自己の無線基地局である場合には、受信した上り無線信号に基づいて上り無線信号を送信した無線端末局の識別番号を検出し、中央制御ステップにおいては、検出した送信先が自己の無線基地局である場合には、検出した識別番号に対応する通信信号を保存部から削除する。
【００１８】
好ましくは、受信制御ステップにおいては、受信ステップにおいて受信された、無線端末局が通信を開始する際に無線基地局へ最初に送信する上り無線信号である初期送信信号に基づいて、初期送信信号を送信した無線端末局の識別番号を検出する。
【発明の効果】
【００１９】
本発明によれば、無線基地局システムの着呼疎通率の低下を防ぐことができる。
【発明を実施するための最良の形態】
【００２０】
以下、本発明の実施の形態について図面を用いて説明する。
［構成］
図１は、本発明の実施の形態に係る無線基地局１０１を備える無線基地局システム７００の構成図である。
【００２１】
同図を参照して、無線基地局システム７００は、無線基地局１０１ａ〜無線基地局１０１ｂと、無線基地局１０２と、ネットワーク５００とを備える。ネットワーク５００は、制御局３０１と、上位交換局４０１と、下位交換局４０２〜４０３とを備える。以下、無線基地局１０１ａ〜無線基地局１０１ｂを総称するときは符号１０１を用いる。また、無線基地局１０２は、無線基地局１０１と同じ構成であってもよいし、異なる構成であってもよい。
【００２２】
無線基地局１０１ａ〜無線基地局１０１ｂは、一斉呼び出しエリア４００に配置され、それぞれＩ’（ISDN: Integrated Services Digital Network）回線６００を介してネットワーク（網）５００における下位交換局４０２に接続されている。無線基地局１０１ａ〜無線基地局１０１ｂは、無線信号を送受信することにより無線端末局２０１と通信を行なう。以下、無線端末局から無線基地局への通信方向を上りと称し、無線基地局から無線端末局への通信方向を下りと称する。
【００２３】
また、無線基地局１０２は、一斉呼び出しエリア４００外に配置され、Ｉ’回線６００を介してネットワーク（網）５００における下位交換局４０３に接続されている。無線基地局１０２は、無線信号を送受信することにより無線端末局２０２と通信を行なう。
【００２４】
下位交換局４０２〜４０３は上位交換局４０１に接続されており、上位交換局４０１は制御局３０１に接続されている。
【００２５】
図２は、本発明の実施の形態に係る無線基地局１０１の構成を示す機能ブロック図である。
【００２６】
同図を参照して、無線基地局１０１は、アンテナ１と、スイッチ２と、受信部３と、送信部４と、受信制御部５ａと、送信制御部５ｂと、保存部６と、中央制御部７と、回線制御部８とを備える。受信制御部５ａと、送信制御部５ｂと、保存部６と、中央制御部７とはバス５０に接続されており、各々がバス５０を介してデータを送受信することも可能である。
【００２７】
［上りの基本動作］
アンテナ１は、無線端末局から受信した上り無線信号をスイッチ２へ出力する。
【００２８】
スイッチ２は、アンテナ１から受けた上り無線信号を受信部３へ出力するか、あるいは送信部４から受けた送信信号をアンテナ１へ出力するかを図示しない制御信号に応じて切り替える。
【００２９】
受信部３は、スイッチ２から受けたＲＦ（Radio Frequency）帯の無線信号をベースバンド信号に周波数変換する。そして、受信部３は、ベースバンド信号を復調し、復調データとして受信制御部５ａへ出力する。
【００３０】
受信制御部５ａは、受信部３から受けた復調データに種々の信号処理を行ない、中央制御部７へ出力する。ここで、信号処理とは、誤り訂正復号化処理、および復調データが音声データである場合には音声符号化方式の変換等の処理のことをいう。また、受信制御部５ａは、受信部３から受けた復調データから後述するＣＳ−ＩＤおよびＰＳ−ＩＤ等の制御情報を抽出する。
【００３１】
中央制御部７は、受信制御部５ａから受けたデータをＩ’回線６００用のデータフレームに挿入する処理を行ない、データフレームを回線制御部８へ出力する。
【００３２】
回線制御部８は、Ｉ’回線６００との通信プロトコル処理を行ない、中央制御部７から受けたデータフレームをＩ’回線６００経由でネットワーク５００へ送信する。
【００３３】
［下りの基本動作］
回線制御部８は、Ｉ’回線６００との通信プロトコル処理を行ない、Ｉ’回線６００を介してネットワーク５００から受信したデータフレームを中央制御部７へ出力する。
【００３４】
中央制御部７は、回線制御部８から受けたデータフレームから抽出したデータを送信データとして送信制御部５ｂへ出力する。
【００３５】
送信制御部５ｂは、中央制御部７から受けた送信データに種々の信号処理を行ない、送信部４へ出力する。ここで、信号処理とは、誤り訂正符号化処理、および送信データが音声データである場合には音声符号化方式の変換等の処理のことをいう。
【００３６】
送信部４は、送信制御部５ｂから受けたデータを変調して変調信号を生成し、生成した変調信号をＲＦ帯の送信信号に周波数変換してスイッチ２へ出力する。なお、本発明の実施の形態に係る無線基地局１０１では、送信部４および送信制御部５ｂが別の機能ブロックとなっているが、送信部４が送信制御部５ｂを含む構成であってもよい。
【００３７】
スイッチ２は、アンテナ１から受けた無線信号を受信部３へ出力するか、あるいは送信部４から受けた送信信号をアンテナ１へ出力するかを図示しない制御信号に応じて切り替える。
【００３８】
アンテナ１は、スイッチ２から受けた送信信号を下り無線信号として無線端末局へ送信する。
【００３９】
［動作］
次に、本発明の実施の形態に係る無線基地局１０１がネットワーク５００から着信信号を受信した際の動作について図面を用いて説明する。
【００４０】
図３は、本発明の実施の形態に係る無線基地局１０１の動作手順を定めたフローチャートである。送信部４、送信制御部５ｂ、中央制御部７および回線制御部８は、フローチャートの各ステップを備えるプログラムを図示しないメモリから読み出して実行する。このプログラムは、外部からインストールすることができる。また、図４は、本発明の実施の形態に係る無線基地局システム７００における各部の動作手順を定めたシーケンス図である。
【００４１】
まず、無線端末局２０２が無線端末局２０１に対して発呼する、すなわち無線端末局２０２は、発呼を表わす無線信号を無線基地局１０２へ送信する（Ｓ１）。
【００４２】
無線基地局１０２は、無線端末局２０２から受信した無線信号から着呼側である無線端末局２０１のＰＳＮＯ、すなわち電話番号を抽出し、抽出したＰＳＮＯを含む発信信号をネットワーク５００における下位交換局４０３へ送信する。
【００４３】
下位交換局４０３は、無線基地局１０２から受信した発信信号を上位交換局４０１へ送信する。上位交換局４０１は、下位交換局４０３から受信した発信信号に基づいて制御局３０１と通信を行なう。制御局３０１は発信信号に含まれる無線端末局２０１のＰＳＮＯに対応する無線端末局２０１のＰＳ−ＩＤを上位交換局４０１に通知する。ここで、ＰＳ−ＩＤは、製造番号等、無線端末局のハードウェア固有の番号である。そして、上位交換局４０１は、着呼側である無線端末局２０１のＰＳＮＯおよび無線端末局２０１のＰＳ−ＩＤを含む信号を着信信号ＳＥＴＵＰとして下位交換局４０２経由で一斉呼び出しエリア４００における無線基地局１０１ａ〜１０１ｂへ送信する（Ｓ２）。
【００４４】
無線基地局１０１ａおよび無線基地局１０１ｂは、ネットワーク５００経由で着信信号ＳＥＴＵＰを受信する。より詳細には、回線制御部８は、Ｉ’回線６００との通信プロトコル処理を行ない、Ｉ’回線６００を介してネットワーク５００から受信した、着信信号ＳＥＴＵＰが含まれたデータフレームを中央制御部７へ出力する（Ｓ３）。
【００４５】
なお、着信信号は、無線端末局２０２からの発呼に基づいて送信される信号であるとしたが、これに限定するものではなく、無線基地局システム７００以外の無線基地局システムにおける無線端末局からの発呼に基づいて送信される信号であってもよいし、移動体通信システム以外の固定電話等の通信装置からの発呼に基づいて送信される信号であってもよい。
【００４６】
中央制御部７は、回線制御部８から受けたデータフレームから着信信号ＳＥＴＵＰを抽出し、送信制御部５ｂへ出力する。
【００４７】
図５は、保存部６に形成される待ち行列を示す図である。
保存部６は、送信部４が送信していない未送信の着信信号ＳＥＴＵＰを保存する。より詳細には、送信制御部５ｂは、保存部６に、最大８個の着信信号ＳＥＴＵＰを含む待ち行列を形成する。なお、中央制御部７が、回線制御部８から受けたデータフレームから着信信号ＳＥＴＵＰを抽出し、抽出した着信信号ＳＥＴＵＰを保存部６に保存する。すなわち、中央制御部７が、保存部６に最大８個の着信信号ＳＥＴＵＰを含む待ち行列を形成する構成であってもよい。
【００４８】
再び図３および図４を参照して、送信制御部５ｂは、着信信号ＳＥＴＵＰの待ち行列に空きがある場合には、中央制御部７から受けた着信信号ＳＥＴＵＰを保存部６の待ち行列に追加する（Ｓ４でＹＥＳおよびＳ５）。
【００４９】
一方、送信制御部５ｂは、着信信号ＳＥＴＵＰの待ち行列に空きがない場合には、中央制御部７から受けた着信信号ＳＥＴＵＰを棄却する（Ｓ４でＮＯおよびＳ７）。
【００５０】
送信制御部５ｂは、たとえば１．２秒ごとに保存部６の待ち行列における先頭の着信信号ＳＥＴＵＰに含まれる無線端末局２０１のＰＳＮＯをＰＣＨに含めて送信部４へ出力し、かつ、先頭の着信信号ＳＥＴＵＰを保存部６の待ち行列から削除する。そして、送信部４は、送信制御部５ｂから受けたＰＣＨに基づいて下り無線信号をスイッチ２およびアンテナ１を介して無線端末局２０１へ送信する（Ｓ６）。なお、送信制御部５ｂは、無線端末局２０１のＰＳＮＯおよび無線端末局２０１のＰＳ−ＩＤを含む着信信号ＳＥＴＵＰをそのまま保存部６から取り出し、取り出した着信信号ＳＥＴＵＰをＰＣＨに含めて送信部４へ出力する構成であってもよい。
【００５１】
次に、本発明の実施の形態に係る無線基地局１０１ｂが無線端末局２０１からリンクチャネル（ＬＣＨ）確立要求を受信した際の動作について図面を用いて説明する。ここで、リンクチャネル（ＬＣＨ）確立要求とは、個別制御チャネル（ＳＣＣＨ）上で送信されるメッセージであり、無線基地局に対してチャネルの割り当てを要求するためのものである。
【００５２】
なお、以下では図４に示すように、無線基地局１０１ａの方が無線基地局１０１ｂより早く無線端末局２０１のＰＳＮＯをＰＣＨによって送信し、無線基地局１０１ｂの保存部６の待ち行列に無線端末局２０１への着信信号ＳＥＴＵＰが残存していると仮定して説明する。また、無線端末局２０１は受信電力等の諸条件に基づいて、無線基地局１０１ａを通信相手の無線基地局として選択していると仮定して説明する。
【００５３】
図６は、本発明の実施の形態に係る無線基地局１０１の動作手順を定めたフローチャートである。受信部３、受信制御部５ａ、中央制御部７および回線制御部８は、フローチャートの各ステップを備えるプログラムを図示しないメモリから読み出して実行する。このプログラムは、外部からインストールすることができる。
【００５４】
図６および図４を参照して、まず、無線端末局２０１は、無線基地局１０１ａから受信したＰＣＨに含まれるＰＳＮＯが自己のものであることを認識し、ＬＣＨ確立要求をＳＣＣＨに含めて無線基地局１０１へ送信する（図４のＳ１０）。なお、無線端末局２０１が自己のＰＳＮＯの含まれるＰＣＨを無線基地局１０１ａから受信する、すなわち着信することによってＬＣＨ確立要求を送信する場合に限らず、無線端末局２０１が発呼によってＬＣＨ確立要求を無線基地局１０１ａに送信する場合でも、無線基地局１０１ｂの動作は以下と同様である。
【００５５】
無線基地局１０１ｂにおける受信部３は、無線端末局２０１が無線基地局１０１ａへ送信したＳＣＣＨが含まれる無線信号をアンテナ１およびスイッチ２経由で受信する。そして、受信部３は、受信した無線信号をベースバンド信号に周波数変換し、ベースバンド信号を復調し、復調データとして受信制御部５ａへ出力する。受信制御部５ａは、受信部３から受けた復調データからＳＣＣＨを抽出する。すなわち、受信制御部５ａは、受信部３が受信した無線信号の中からＳＣＣＨを抽出し、後述のＣＳ−ＩＤおよびＰＳ−ＩＤの検出を行なう（Ｓ１１）。
【００５６】
受信制御部５ａは、ＳＣＣＨに含まれるＣＳ−ＩＤ、すなわち無線基地局の識別番号を検出し（Ｓ１２）、ＳＣＣＨの送信先の無線基地局は自己の無線基地局１０１ｂではなく、他の無線基地局１０１ａであることを認識する（Ｓ１３でＹＥＳ）。
【００５７】
そして、受信制御部５ａは、ＳＣＣＨの送信先が他の無線基地局１０１ａであることから（Ｓ１３でＹＥＳ）、ＳＣＣＨに含まれる無線端末局２０１を表わすＰＳ−ＩＤを検出する（Ｓ１４）。
【００５８】
中央制御部７は、受信制御部５ａの検出したＰＳ−ＩＤおよび保存部６に保存されている未送信の着信信号ＳＥＴＵＰの含むＰＳ−ＩＤを照合する。
【００５９】
中央制御部７は、受信制御部５ａの検出したＰＳ−ＩＤと一致するＰＳ−ＩＤを含む未送信の着信信号ＳＥＴＵＰが保存部６に保存されている場合には（Ｓ１５でＹＥＳ）、一致したＰＳ−ＩＤに対応する着信信号ＳＥＴＵＰを保存部６から削除する（Ｓ１６）。
【００６０】
一方、無線基地局１０１ｂは、ＳＣＣＨの送信先が自己の無線基地局１０１ｂである場合（Ｓ１３でＮＯ）、および受信制御部５ａの検出したＰＳ−ＩＤと一致するＰＳ−ＩＤを含む未送信の着信信号ＳＥＴＵＰが保存部６に保存されていない場合には（Ｓ１５でＮＯ）、処理を終了する。
【００６１】
ところで、特許文献１記載の無線基地局では、時間制限のある着信信号を短時間で多数受信した場合には着信信号が棄却されてしまい、無線基地局システムの着呼疎通率が低下してしまうという問題点があった。
【００６２】
しかしながら、本発明の実施の形態に係る無線基地局では、中央制御部７が、受信制御部５ａの検出したＰＳ−ＩＤと一致するＰＳ−ＩＤを含む未送信の着信信号ＳＥＴＵＰが保存部６に保存されている場合には、一致したＰＳ−ＩＤに対応する着信信号ＳＥＴＵＰを保存部６から削除する。
【００６３】
ここで、送信先が無線基地局１０１ａである無線端末局２０１からのＬＣＨ確立要求を無線基地局１０１ｂが受信した時点で無線基地局１０１ｂの保存部６に保存されている、無線端末局２０２の発呼に基づく無線端末局２０１への着信信号ＳＥＴＵＰは、もはや無線端末局２０１へ送信する必要のない無駄な信号である。また、無線基地局１０１ｂの保存部６に保存されている無線端末局２０１への着信信号ＳＥＴＵＰは、無線端末局２０２以外の通信装置からの発呼に基づく信号である場合でも、ネットワーク５００への応答が間に合わない可能性の高い信号であり、無駄な信号である可能性が高い。さらに、無線端末局は、一般的に複数の無線基地局の中から１つの無線基地局を選択し、選択した無線基地局に対して着信信号に対する応答を行なうため、無線端末局からの応答のなかった無線基地局に未送信の着信信号が残存する場合が多い。したがって、本発明の実施の形態に係る無線基地局では、保存部６に保存されている無駄な着信信号ＳＥＴＵＰを削除することにより、他の着信信号ＳＥＴＵＰを早期に送信することができ、着呼疎通率の低下を防ぐことができる。
【００６４】
また、本発明の実施の形態に係る無線基地局では、受信制御部５ａは、受信部３が受信した無線信号の中からＳＣＣＨを抽出し、ＣＳ−ＩＤおよびＰＳ−ＩＤの検出を行なう。ここで、ＬＣＨ確立要求は、無線端末局が通信を開始する際に無線基地局へ最初に送信する上り無線信号（初期送信信号）である。したがって、本発明の実施の形態に係る無線基地局では、保存部６に保存されている未送信の着信信号ＳＥＴＵＰが無線端末局へ送信する必要のない無駄な信号であるかどうかを早期に判断して、保存部６に保存されている無駄な着信信号ＳＥＴＵＰを早期に削除することができるため、他の着信信号ＳＥＴＵＰを早期に送信することができ、着呼疎通率の低下を防ぐことができる。
【００６５】
［変形例］
本発明は、上記実施の形態に限定されるものではなく、たとえば以下の変形例も含まれる。
【００６６】
（１）  無線端末局から通信相手として選択されている無線基地局の動作
本発明の実施の形態に係る無線基地局１０１ａが無線端末局２０１からリンクチャネル（ＬＣＨ）確立要求を受信した際の動作の変形例について図面を用いて説明する。
【００６７】
図７は、本発明の実施の形態に係る無線基地局１０１の動作手順の変形例を定めたフローチャートである。受信部３、受信制御部５ａ、中央制御部７および回線制御部８は、フローチャートの各ステップを備えるプログラムを図示しないメモリから読み出して実行する。このプログラムは、外部からインストールすることができる。以下で説明する動作は、図６の説明における仮定と同様の仮定に基づく。
【００６８】
図７および図４を参照して、まず、無線端末局２０１は、無線基地局１０１ａから受信したＰＣＨに含まれるＰＳＮＯが自己のものであることを認識し、ＬＣＨ確立要求をＳＣＣＨに含めて無線基地局１０１へ送信する（図４のＳ１０）。
【００６９】
無線基地局１０１ａにおける受信部３は、無線端末局２０１が無線基地局１０１ａへ送信したＳＣＣＨが含まれる無線信号をアンテナ１およびスイッチ２経由で受信する。そして、受信部３は、受信した無線信号をベースバンド信号に周波数変換し、ベースバンド信号を復調し、復調データとして受信制御部５ａへ出力する。受信制御部５ａは、受信部３から受けた復調データからＳＣＣＨを抽出する（Ｓ２１）。
【００７０】
そして、受信制御部５ａは、ＳＣＣＨに含まれるＣＳ−ＩＤを検出し（Ｓ２２）、ＳＣＣＨの送信先の無線基地局は自己の無線基地局１０１ａであることを認識する（Ｓ２３でＹＥＳ）。
【００７１】
そして、受信制御部５ａは、ＳＣＣＨの送信先が自己の無線基地局１０１ａであることから（Ｓ２３でＹＥＳ）、ＳＣＣＨに含まれる無線端末局２０１を表わすＰＳ−ＩＤを検出する（Ｓ２４）。
【００７２】
中央制御部７は、受信制御部５ａの検出したＰＳ−ＩＤおよび保存部６に保存されている未送信の着信信号ＳＥＴＵＰの含むＰＳ−ＩＤを照合する。
【００７３】
中央制御部７は、受信制御部５ａの検出したＰＳ−ＩＤと一致するＰＳ−ＩＤを含む未送信の着信信号ＳＥＴＵＰが保存部６に保存されている場合には（Ｓ２５でＹＥＳ）、一致したＰＳ−ＩＤに対応する着信信号ＳＥＴＵＰを保存部６から削除する（Ｓ２６）。
【００７４】
そして、無線基地局１０１ａは、無線端末局２０１に対してＬＣＨ割り当ての可否を通知する等、無線端末局２０１との通信を行なう（Ｓ２７）。
【００７５】
一方、無線基地局１０１ａは、ＳＣＣＨの送信先が他の無線基地局１０１ｂである場合（Ｓ２３でＮＯ）、および受信制御部５ａの検出したＰＳ−ＩＤと一致するＰＳ−ＩＤを含む未送信の着信信号ＳＥＴＵＰが保存部６に保存されていない場合には（Ｓ２５でＮＯ）、処理を終了する。
【００７６】
ここで、送信先が無線基地局１０１ａである無線端末局２０１からのＬＣＨ確立要求を無線基地局１０１ａが受信した時点で無線基地局１０１ａの保存部６に保存されている無線端末局２０１への着信信号ＳＥＴＵＰは、無線端末局２０２以外の通信装置からの発呼に基づく信号であるが、ネットワーク５００への応答が間に合わない可能性の高い信号であり、無駄な信号である可能性が高い。したがって、無線基地局１０１ａは、このような着信信号ＳＥＴＵＰを保存部６から削除することにより、他の無線端末局への発呼に基づく着信信号ＳＥＴＵＰを早期に送信することができ、着呼疎通率の低下を防ぐことができる。
【００７７】
（２）  着信信号
本発明の実施の形態に係る無線基地局では、保存部６に保存されている未送信の着信信号ＳＥＴＵＰが無線端末局へ送信する必要のない無駄な信号であるかどうかを判断して着信信号ＳＥＴＵＰを削除する構成としたが、削除する対象は着信信号ＳＥＴＵＰに限らず、ネットワーク経由で複数の無線基地局に送信され、複数の無線基地局から無線信号として無線端末局へ送信される通信信号であればどんなものであってもよい。
【００７８】
（３）  ＬＣＨ確立要求
本発明の実施の形態に係る無線基地局では、受信制御部５ａは、受信部３が受信した無線信号の中からＳＣＣＨを抽出し、ＣＳ−ＩＤおよびＰＳ−ＩＤの検出を行なう構成としたが、ＬＣＨ確立要求に限らず、無線基地局においてＣＳ−ＩＤおよびＰＳ−ＩＤを検出することができる信号であれば、どんなものであってもよい。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】本発明の実施の形態に係る無線基地局１０１を備える無線基地局システム７００の構成図である。
【図２】本発明の実施の形態に係る無線基地局１０１の構成を示す機能ブロック図である。
【図３】本発明の実施の形態に係る無線基地局１０１の動作手順を定めたフローチャートである。
【図４】本発明の実施の形態に係る無線基地局システム７００における各部の動作手順を定めたシーケンス図である。
【図５】保存部６に形成される待ち行列を示す図である。
【図６】本発明の実施の形態に係る無線基地局１０１の動作手順を定めたフローチャートである。
【図７】本発明の実施の形態に係る無線基地局１０１の動作手順の変形例を定めたフローチャートである。
【符号の説明】
【００８１】
１  アンテナ、２  スイッチ、３  受信部、４  送信部、５ａ  受信制御部、５ｂ  送信制御部、６  保存部、７  中央制御部、８  回線制御部、１０１ａ〜１０１ｂ，１０２  無線基地局、３０１  制御局、４００  一斉呼び出しエリア、４０１  上位交換局、４０２〜４０３  下位交換局、５００  ネットワーク、６００  Ｉ’回線、７００  無線基地局システム。
【図１】
2007096836.tif 000003
【図２】
2007096836.tif 000004
【図３】
2007096836.tif 000005
【図４】
2007096836.tif 000006
【図５】
2007096836.tif 000007
【図６】
2007096836.tif 000008
【図７】
2007096836.tif 000009